(57)【特許請求の範囲】
【請求項１】
ベースプレートと、そのベースプレートの上面に沿って抜き差しされ、両側に設けられた対向一対の側壁に係合孔が形成されたタングプレートと、そのタングプレートの抜き差しを案内する一対のガイド板を両側に有し、そのガイド板のそれぞれ先端部に設けられた支持脚間がタングプレートを抜き差しするプレート挿し口とされた案内枠と、前記ベースプレートの上面に突設された左右一対の固定ピンのそれぞれで後端部が支持されて、その固定ピンを中心に揺動自在とされ、その揺動側端部の外側に前記タングプレートの係合孔に対して係合可能な係合片が設けられ、かつ、外側縁部に押し込み操作用の操作片が形成された一対の係合レバーと、その一対の係合レバーのそれぞれを外側方に向けて付勢する弾性部材と、前記案内枠によって前後方向に向けてスライド自在に支持され、コイルスプリングによって後方に向けて付勢されたロック部材とを有し、前記ロック部材に、そのロック部材の後方への移動によって前記一対の係合レバーを、係合片がタングプレートの係合孔に係合する係合状態に保持するロック手段を設け、前記ベースプレート上には、そのベースプレート上の各種部品を覆うカバーを設け、そのカバーに前記ロック手段の解除操作を行なう操作窓を形成したバックルにおいて、
前記一対の固定ピンのそれぞれ上端部に、前記案内枠および前記カバーを貫通する小径の連結ピン部を設け、その連結ピン部の端部の加締めによってカバーおよび案内枠を固定し、前記案内枠を前部枠と後部枠とに分割し、その分割部に上下で重なり合う連結片を設け、その連結片のそれぞれにピン挿通孔を形成し、そのピン挿通孔に前記固定ピンの連結ピン部を挿通して前部枠と後部枠を連結し、かつ、その連結ピン部の付け根に形成された段部で下側連結片を支持し、前記後部枠には、一対の係合レバーの上面を接触案内するガイド突起を設けたことを特徴とするバックル。
【請求項２】
前記ロック手段が、そのロック部材の先端部に形成されたストッパ挿入孔内にスライド自在に挿入され、ロック部材の後方への移動時に前記一対の係合レバーの先端部間に侵入して、一対の係合レバーが内方に向けて揺動するのを阻止する円柱状ストッパと、前記ロック部材の先端部に形成されたピン孔内に上端の小径部がスライド自在に挿入された段付きのロックピンと、そのロックピンを上方に向けて付勢する弾性部材とを有し、前記案内枠には前記ロックピンの小径部がスライド自在に挿入される前後方向に長いガイド孔と、前記ストッパが一対の係合レバーの先端部間に侵入する状態で前記ロックピンの大径部が侵入してロック部材をロックするロック孔とを形成した構成からなる請求項１に記載のバックル。
【請求項３】
前記案内枠のプレート挿し口の両側に一対の突起を設け、カバーにはその一対の突起に係合する切欠部を形成した請求項１又は２に記載のバックル。
【発明の詳細な説明】
【技術分野】
【０００１】
この発明は、主として、高所作業用安全帯における胴ベルトの両端部に取付けられるバックルに関する。
【背景技術】
【０００２】
高所作業用安全帯の胴ベルトに取付けられるバックルとして、特許文献１に記載されたものが従来から知られている。このバックルにおいては、胴ベルトの一端部に取付けられるベースプレートと、胴ベルトの他端に取付けられ、上記ベースプレートの上面に沿って抜き差しされるタングプレートを有し、そのタングプレートの差し込みにより、ベースプレートの上面に突設する左右一対の固定ピンを中心にして一対の係合レバーを外方に向けて揺動させ、その係合レバーの揺動端部に設けられた係合片をタングプレートの側壁に形成された係合孔に係合させて、ベースプレートとタングプレートとを結合状態に保持するようにしている。
【０００３】
その結合状態において、一対の係合レバーが内方向に揺動すると、係合孔に対する係合片の係合が解除し、ベースプレートとタングプレートの結合が解除して胴ベルトを締付け状態に保持することができず、危険な状態となる。その安全性を確保するため、ベースプレート上に、タングプレートの抜き差しを案内する案内枠を設け、その案内枠によって前後方向にスライド自在に支持され、コイルスプリングにより後方に向けて付勢されたロック部材にロック手段を設け、そのロック手段により、上記一対の係合レバーが内方に揺動するのを防止し、係合レバーを係合状態に保持するようにしている。
【０００４】
また、上記バックルにおいては、ベースプレート上に設けられた各種の部品をカバーで覆い、そのカバーの前部に設けられた操作窓から上記ロック手段の解除操作を行うようにしている。
【先行技術文献】
【特許文献】
【０００５】
【特許文献１】特許第３６５２７６６号公報
【発明の概要】
【発明が解決しようとする課題】
【０００６】
ところで、上記従来のバックルにおいては、係合レバーを揺動自在に支持する固定ピンの上端部に案内枠を貫通する小径の連結ピン部を設け、その連結ピン部の付け根に形成された段部で案内枠を支持し、その支持状態で連結ピン部の上端部の加締めにより案内枠を固定し、また、カバーは、ベースプレートの下面側からカバーの前部両側にねじ込まれるビスおよびカバーの後部両側の上方からベースプレートにねじ込まれるビスの合計４本のビスの締付けによってカバーを固定して、案内枠とカバーの固定を別々に行うようにしているため、組立てに手間がかかり、また、コストも高く、その組立ての容易化とコストの低減を図る上において改善すべき点が残されていた。
【０００７】
この発明の課題は、バックルの組立ての容易化とコストの低減を図ることである。
【課題を解決するための手段】
【０００８】
上記の課題を解決するために、この発明においては、ベースプレートと、そのベースプレートの上面に沿って抜き差しされ、両側に設けられた対向一対の側壁に係合孔が形成されたタングプレートと、そのタングプレートの抜き差しを案内する一対のガイド板を両側に有し、そのガイド板のそれぞれ先端部に設けられた支持脚間がタングプレートを抜き差しするプレート挿し口とされた案内枠と、前記ベースプレートの上面に突設された左右一対の固定ピンのそれぞれで後端部が支持されて、その固定ピンを中心に揺動自在とされ、その揺動側端部の外側に前記タングプレートの係合孔に対して係合可能な係合片が設けられ、かつ、外側縁部に押し込み操作用の操作片が形成された一対の係合レバーと、その一対の係合レバーのそれぞれを外側方に向けて付勢する弾性部材と、前記案内枠によって前後方向に向けてスライド自在に支持され、コイルスプリングによって後方に向けて付勢されたロック部材とを有し、前記ロック部材に、そのロック部材の後方への移動によって前記一対の係合レバーを、係合片がタングプレートの係合孔に係合する係合状態に保持するロック手段を設け、前記ベースプレート上には、そのベースプレート上の各種部品を覆うカバーを設け、そのカバーに前記ロック手段の解除操作を行なう操作窓を形成したバックルにおいて、前記一対の固定ピンのそれぞれ上端部に、前記案内枠および前記カバーを貫通する小径の連結ピン部を設け、その連結ピン部の端部の加締めによってカバーおよび案内枠を固定した構成を採用したのである。
【０００９】
上記のように、一対の係合レバーを揺動自在に支持する固定ピンの上端部に小径の連結ピン部を設け、その連結ピン部の上端部の加締めによってカバーおよび案内枠を同時に固定することによって、バックルの組立ての容易化とコストの低減を図ることができる。
【００１０】
この発明に係るバックルにおいて、ロック手段として、ロック部材の先端部に形成されたストッパ挿入孔内にスライド自在に挿入され、ロック部材の後方への移動時に一対の係合レバーの先端部間に侵入して、一対の係合レバーが内方に向けて揺動するのを阻止する円柱状ストッパと、前記ロック部材の先端部に形成されたピン孔内に上端の小径部がスライド自在に挿入された段付きのロックピンと、そのロックピンを上方に向けて付勢する弾性部材とを有し、前記案内枠には前記ロックピンの小径部がスライド自在に挿入される前後方向に長いガイド孔と、前記ストッパが一対の係合レバーの先端部間に侵入する状態で前記ロックピンの大径部が侵入してロック部材をロックするロック孔とを形成した構成からなるものを採用することができる。
【００１１】
ここで、案内枠を前部枠と後部枠とに分割し、その分割部に上下で重なり合う連結片を設け、その連結片のそれぞれにピン挿通孔を形成し、そのピン挿通孔に固定ピンの連結ピン部を挿通して前部枠と後部枠を連結し、かつ、その連結ピン部の付け根に形成された段部で下側連結片を支持し、前記後部枠には、一対の係合レバーの上面を接触案内するガイド突起を設けることによって、一対の係合レバーの上方へのガタツキを抑制することができ、安定した支持状態を得ることができる。
【００１２】
また、案内枠のタングプレートが抜き差しされるプレート挿し口の両側に一対の突起を設け、カバーにはその一対の突起に係合する切欠部を形成することにより、カバーをより安定よく固定することができる。
【発明の効果】
【００１３】
この発明に係るバックルにおいては、上記のように、一対の係合レバーを揺動自在に支持する固定ピンの上端部に案内枠およびカバーのそれぞれを貫通する小径の連結ピン部を設け、その連結ピン部の上端部を加締めるようにしたので、カバーおよび案内枠を同時に固定することができ、バックルの組立ての容易化とコストの低減を図ることができる。
【図面の簡単な説明】
【００１４】
【図１】この発明に係るバックルのバックル本体とタングプレートを分解した状態の平面図
【図２】図１のII−II線に沿った断面図
【図３】図１のIII−III線に沿った断面図
【図４】バックル本体の分解斜視図
【図５】案内枠およびロック部材を示す分解斜視図
【図６】バックル本体のカバーを取り外した状態の平面図
【図７】バックル本体の横断面図
【図８】バックル本体とタングプレートの接続状態を示す横断面図
【図９】図８のIX-IX線に沿った断面図
【発明を実施するための形態】
【００１５】
以下、この発明の実施の形態を図面に基づいて説明する。図１に示すように、この発明に係るバックルは、バックル本体１、そのバックル本体１に対して抜き差しされるタングプレート２とからなる。
【００１６】
タングプレート２には、一端部にベルト連結孔３が形成され、他端部にはバックル本体１に対する差し込み片部４が設けられ、その差し込み片部４の両側に設けられた対向一対の側壁５に係合孔６が形成されている。また、差し込み片部４の端部には半径の切欠部７が設けられている。
【００１７】
図２乃至図４に示すように、バックル本体１は、ベースプレート１１と、そのベースプレート１１上に設けられた案内枠３０と、その案内枠３０の全体を覆うカバー６０とを有し、上記ベースプレート１１の先端部上面に沿ってタングプレート２が抜き差しされ、そのベースプレート１１の後端部にベルト連結孔１２が形成されている。
【００１８】
ベースプレート１１の上面には、ベルト連結孔１２から先端側に片寄った位置に左右一対の固定ピン１３が設けられている。固定ピン１３は、下端部にフランジ部１４を有し、上端には小径の連結ピン部１５が設けられ、その連結ピン部１５の付け根に段部１６が形成されている。
【００１９】
固定ピン１３は、ベースプレート１１に形成されたピン孔１７に下端部が挿入されて、フランジ部１４がベースプレート１１の上面で支持され、上記ピン孔１７から下面側に突出する下端の加締めによって固定ピン１３がベースプレート１１に固定されている。
【００２０】
図７に示すように、固定ピン１３のそれぞれには一対の係合レバー１８の後端部が支持されている。係合レバー１８は固定ピン１３を中心にして揺動自在とされ、その揺動側の先端部外側に係合片１９が設けられ、その係合片１９はタングプレート２の側壁５に形成された上記の係合孔６に対して係合可能とされている。
【００２１】
また、係合レバー１８には、図４および図７に示すように、揺動中心側の後端部内側に切欠部２０が形成され、さらに、後端部外側に押込み操作用の操作片２１が設けられている。係合レバー１８は、固定ピン１３に支持された弾性部材としてのキックばね２２によって外向きに付勢されている。
【００２２】
図２乃至図４に示すように、ベースプレート１１上には、上記一対の係合レバー１８との間に、下部から、位置決めプレート２３と、ガイドプレート２４とが組み込まれている。
【００２３】
位置決めプレート２３には、左右両側部に前後方向に長い一対の長孔２５が形成され、その一対の長孔２５内に一対の固定ピン１３のそれぞれ下部に設けられたフランジ部１４が嵌合されている。位置決めプレート２３は、上記長孔２５の両端がフランジ部１４に当接する範囲内において前後方向にスライド自在とされ、前記キックばね２２によって前進動する方向に向けて付勢されている。
【００２４】
位置決めプレート２３の先端部には、タングプレート２の切欠部７に対して嵌合可能な半円形の突出部２６が設けられている。また、位置決めプレート２３の後端部には、一対の係合レバー１８の後端部内側に形成された切欠部２０に嵌合可能なＬ字状のストッパ片２７が設けられ、上記切欠部２０に対するストッパ片２７の嵌合により、一対の係合レバー１８は、内方に閉じた状態に保持されて、外方に向けて揺動するのが防止されるようになっている。
【００２５】
ガイドプレート２４には、左右一対の嵌合孔２８が形成され、その嵌合孔２８に対する固定ピン１３のフランジ部１４の嵌合によってガイドプレート２４は固定の配置とされている。
【００２６】
ガイドプレート２４の後端部には、位置決めプレート２３のストッパ片２７をスライド自在に案内する切欠部２９が設けられている。
【００２７】
図４乃至図６に示すように、案内枠３０は、前後に分割されて前部枠３１と後部枠３２が設けられている。前部枠３１は、タングプレート２の抜き差しを案内する一対のガイド板３３を両側に有し、そのガイド板３３のそれぞれ先端部に支持脚３４が設けられ、その支持脚３４の下端に形成された取付座３５がベースプレート１１の上面に重ねられ、その重なり部を貫通するリベット３６の端部の加締めによって取付座３５が固定されている。
【００２８】
上記一対の支持脚３４の対向部間はプレート挿し口３７とされ、そのプレート挿し口３７に対してタングプレート２は抜き差し自在とされている。
【００２９】
前部枠３１と後部枠３２の分割部には上下で重なり合う連結片３８、３９が設けられ、その連結片３８、３９のそれぞれに形成されたピン挿通孔１０に固定ピン１３の連結ピン部１５が挿入されて前部枠３１と後部枠３２は連結状態とされている。その連結状態において、下側の連結片３９の下面が連結ピン部１５の付け根に形成された段部１６で支持されている。
【００３０】
後部枠３２は、合成樹脂の成形品からなる。この後部枠３２の後端部の両側には一対の脚体４０が設けられ、その脚体４０がベースプレート１１の上面で支持されている。また、後部枠３２には前後で対向する一対のガイド突起４１が両側に設けられ、その一対のガイド突起４１は係合レバー１８の上面に対向して、係合レバー１８の浮き上がりを防止し、かつ、係合レバー１８の揺動時に、その上面を接触案内するようになっている。
【００３１】
前部枠３１には前後方向に長く延びるガイド孔４２が形成され、一方、後部枠３２にも、前後方向に長く延びるガイド孔４３が形成され、そのガイド孔４２、４３に沿ってロック部材４４がスライド自在に支持されている。
【００３２】
ロック部材４４は、案内枠３０の上側に設けられた上部スライドプレート４５と、案内枠３０の下側に設けられた下部スライドプレート４６を前後方向に間隔をおいて設けられた一対のピン４７、４８で連結した構成とされ、その一方のピン４７は前部枠３１のガイド孔４２に沿って移動自在とされ、他方のピン４８は後部枠３２のガイド孔４３に沿って移動自在とされている。
【００３３】
ロック部材４４は、後部枠３２のガイド孔４３内に組み込まれたコイルスプリング４９によって後方に向けて付勢されている。
【００３４】
図２に示すように、ロック部材４４には、そのロック部材４４の後方への移動によって一対の係合レバー１８を、係合片１９がタングプレート２の係合孔６に係合する係合状態に保持するロック手段５０が設けられている。
【００３５】
図２および図５に示すように、ロック手段５０は、下部スライドプレート４６の先端部にストッパ挿入孔５１を形成し、そのストッパ挿入孔５１内に抜止めフランジ５３を上部に有する円柱状のストッパ５２をスライド自在に挿入し、そのストッパ５２の上面に形成されたピン孔５４内に段付きのロックピン５５と、そのロックピン５５を上方に付勢する弾性部材５６とを組込み、上記ロックピン５５の上端に設けられた小径部５５ａを前部枠３１のガイド孔４２から上部スライドプレート４５の先端部に形成されたピン孔５７内に挿入している。
【００３６】
上記の構成からなるロック手段５０においては、一対の係合レバー１８が外方に向けて揺動して、係合片１９がタングプレート２の係合孔６に係合した際に、コイルスプリング４９の弾性力によりロック部材４４を後退動させて、ストッパ５２を一対の係合レバー１８の先端部間に侵入させて、一対の係合レバー１８が内方向に揺動するのを防止するようにしている。
【００３７】
また、ストッパ５２が一対の係合レバー１８の先端部間に侵入する状態で、弾性部材５６の弾性力でロックピン５５を上方にスライドさせて、大径部５５ｂの上部を前部枠３１のガイド孔４２に形成されたロック孔５８に係合させて、その係合により、ロック部材４４を停止保持するようになっている。
【００３８】
図２乃至図４に示すように、カバー６０は、天板６１の外周に周壁６２が形成された合成樹脂の成形品からなる。このカバー６０の天板６１における前側部には、ロック手段５０の解除操作を行なう操作窓６３が形成されている。
【００３９】
また、天板６１には、操作窓６３の後側に一対のピン孔６４が形成され、その一対のピン孔６４のそれぞれに固定ピン１３の連結ピン部１５が挿入され、その連結ピン部１５の上端の加締めにより、カバー６０が固定され、同時に案内枠３０も固定される。
【００４０】
カバー６０における周壁６２の前側部にはタングプレート２を抜き差しする挿し口６５が形成され、その挿し口６５の両側に形成された一対の切欠部６６に前部枠３１のプレート挿し口３７の両側に設けられた一対の突起６７が係合され、その係合によって、カバー６０の前側部が固定とされている。
【００４１】
また、カバー６０における周壁６２の両側には係合レバー１８の操作片２１に対向して窓６８が形成されている。
【００４２】
実施の形態で示すバックルは上記の構造からなり、図１に示すように、タングプレート２の引き抜き状態において、図７に示すように、位置決めプレート２３は前進位置に位置し、後端部に設けられたストッパ片２７が係合レバー１８の切欠部２０間に位置し、そのストッパ片２７によって一対の係合レバー１８は、内方に付勢された係合解除位置に保持されている。
【００４３】
いま、カバー６０に形成された挿し口６５から内部にタングプレート２を挿し込むと、タングプレート２の端部に形成された切欠部７が位置決めプレート２３の先端部に設けられた突出部２６に嵌合して、その突出部２６を押圧し、その押圧により、位置決めプレート２３がキックばね２２の弾性に抗して後退する。
【００４４】
位置決めプレート２３の後端部のストッパ片２７が、図９に示すように、切欠部２０から抜け出る位置まで位置決めプレート２３が後退すると、一対の係合レバー１８はキックばね２２の弾性力により外方に向けて揺動し、係合レバー１８の先端部に設けられた係合片１９が、図８に示すように、タングプレート２の係合孔６に係合する。その係合によってタングプレート２は挿し込み状態に保持される。
【００４５】
また、一対の係合レバー１８が外方に揺動すると、コイルスプリング４９の弾性力によりロック部材４４が後退し、ストッパ５２が、図８に示すように、一対の係合レバー１８の先端部間に侵入する。その侵入によって一対の係合レバー１８は内方に揺動するのが防止される。
【００４６】
さらに、ロックピン５５がロック孔５８と対向する位置までロック部材４４が後退動すると、弾性部材５６の押圧によりロックピン５５が上方に向けてスライドし、大径部５５ｂがロック孔５８に嵌合する。その嵌合によって、ロック部材４４は停止保持され、ストッパ５２は一対の係合レバー１８の先端部間に侵入する状態に保持されて、バックル本体１とタングプレート２とは、図８および図９に示すように、結合状態に保持される。
【００４７】
バックル本体１とタングプレート２との結合状態において、カバー６０に形成された操作窓６３からロックピン５５の小径部５５ａを押し込むと、そのロックピン５５の大径部５５ｂがロック孔５８から抜け出し、ロック部材４４はロック解除される。
【００４８】
上記のようなロック部材４４のロック解除状態において、そのロック部材４４をコイルスプリング４９の弾性に抗してタングプレート２側に向けて押し込むと、ロック部材４４が前進し、ストッパ５２が一対の係合レバー１８の先端部から抜け出し、一対の係合レバー１８は、ロック解除されて内方に揺動し得る状態となる。
【００４９】
上記のような係合レバー１８のロック解除状態で、一対の係合レバー１８のそれぞれの操作片２１を内方向に押圧すると、図７に示すように、一対の係合レバー１８が内方に揺動し、係合片１９が係合孔６から抜け出して係合解除する。このとき、位置決めプレート２３はキックばね２２によって前進する方向に付勢されているため、係合片１９と係合孔６の係合解除と共に位置決めプレート２３が前進し、その位置決めプレート２３でタングプレート２が押され、タングプレート２がカバー６０の挿し口６５から抜け出し、バックル本体１とタングプレート２の結合が解除する。
【００５０】
実施の形態で示すバックルにおいては、一対の係合レバー１８を揺動自在に支持する固定ピン１３の上端部に小径の連結ピン部１５を設け、その連結ピン部１５を前部枠３１と後部枠３２の分割部に設けられた連結片３８、３９のピン挿通孔１０からカバー６０に設けられたピン孔６４に挿通して、その連結ピン部１５の上端の加締めるようにしているため、連結ピン部１５の加締めによってカバー６０および案内枠３０を同時に固定することができ、バックルの組立ての容易化とコストの低減を図ることができる。
【００５１】
また、案内枠３０を前部枠３１と後部枠３２とに分割し、その後部枠３２にガイド突起４１を設け、そのガイド突起４１によって一対の係合レバー１８の浮き上がりを防止し、係合レバー１８の揺動時にその上面を接触案内するようにしているため、一対の係合レバーの上方へのガタツキを抑制し、安定した支持状態を得ることができる。
【００５２】
さらに、カバー６０の周壁６２に形成された挿し口６５の両側に一対の切欠部６６を設け、その切欠部６６を案内枠３０のプレート挿し口３７の両側に形成された一対の突起６７に係合させるようにしているため、カバー６０をより安定よく固定することができる。
【符号の説明】
【００５３】
２    タングプレート
５    側壁
６    係合孔
１１  ベースプレート
１３  固定ピン
１５  連結ピン部
１６  段部
１８  係合レバー
１９  係合片
２１  操作片
２２  キックばね（弾性部材）
３０  案内枠
３１  前部枠
３２  後部枠
３３  ガイド板
３４  支持脚
３７  プレート挿し口
３８  連結片
３９  連結片
４１  ガイド突起
４４  ロック部材
４９  コイルスプリング
５０  ロック手段
５１  ストッパ挿入孔
５２  ストッパ
５５  ロックピン
５５ａ  小径部
５５ｂ  大径部
５６  弾性部材
５７  ピン孔
５８  ロック孔
６０  カバー
【図１】
0005774956.tif 000002
【図２】
0005774956.tif 000003
【図３】
0005774956.tif 000004
【図４】
0005774956.tif 000005
【図５】
0005774956.tif 000006
【図６】
0005774956.tif 000007
【図７】
0005774956.tif 000008
【図８】
0005774956.tif 000009
【図９】
0005774956.tif 000010